(57)【特許請求の範囲】
【請求項１】
浴槽から吸い込んだ浴水を低温から高温に加熱可能としたヒータと、微細なごみ及び汚れなる不純物を浴水から濾過するフィルタと、浴水を循環させるための循環ポンプとを含み、該循環ポンプにて浴水が浴槽から浴槽に戻るように循環する循環管路と、該循環管路の吸込み側寄りの適宜な箇所と該循環管路の流出側寄りの適宜な箇所とを連結する連結管路と、前記循環管路に一端を連結した排水管とからなり、
管路洗浄時には、循環管路内に設けた管路温度検知手段で検知して、浴水をヒータにて高温にしつつ連結管路を介して循環して、熱水にて循環管路を熱水洗浄した後、該熱水と浴水を該循環管路内で混合して低温化して前記排水管を介して排水することを特徴とする浴水循環装置における管路浄化装置。
【請求項２】
浴水を低温から高温に加熱可能としたヒータと、微細なごみ及び汚れなる不純物を浴水から濾過するフィルタと、浴水を循環させるための循環ポンプと、該循環ポンプにて浴水が浴槽から浴槽に戻るように循環する循環管路と、該循環管路の吸込み側寄りの適宜な箇所と該循環管路の流出側寄りの適宜な箇所とを連結する連結管路と、前記循環管路に一端を連結した排水管とからなり、
管路洗浄時には、循環管路内の浴水をヒータにて高温にしつつ連結管路を介して循環可能とし、排水時には、浴槽内の浴水と前記循環管路内の高温の浴水とを該循環管路内で混合させて浴槽の外側に前記排水管を介して排出可能としてなることを特徴とする浴水循環装置における管路浄化装置。
【請求項３】
浴水を低温から高温に加熱可能としたヒータと、微細なごみ及び汚れなる不純物を浴水から濾過するフィルタと、浴水を循環させるための循環ポンプと、該循環ポンプにて浴水が浴槽から浴槽に戻るように循環する循環管路と、該循環管路の吸込み側寄りの適宜な箇所と前記循環管路の流出側寄りの適宜な箇所とを連結する連結管路と、前記循環管路で連結管路接続箇所よりも吸込み側寄りに設けた第１開閉弁と、前記連結管路と循環管路の流出側寄りとの連結箇所に設けた第２三方弁と、前記循環管路で連結管路接続箇所よりも排出側寄りに設けた排水用三方弁とからなり、
管路洗浄時には、前記各弁の切替えにより循環管路内の浴水をヒータにて高温にしつつ連結管路を介して循環可能とし、排水時にも、前記各弁の切替えにより浴槽内の浴水と前記循環管路内の高温の浴水とを該循環管路内で混合させて浴槽の外側に排出可能としてなることを特徴とする浴水循環装置における管路浄化装置。
【請求項４】
請求項１、２又は３において、更に管路洗浄するために洗浄開始を命令する洗浄スイッチと、該洗浄スイッチに応答して洗浄時間を計測する洗浄計測手段とを備えてなることを特徴とする浴水循環装置における管路浄化装置。
【請求項５】
請求項１、２又は３において、更に管路洗浄時の洗浄時間を開始・制御する洗浄指令手段と、前記管路洗浄，排水等のために制御する弁制御手段とを備え、前記洗浄指令手段は、洗浄開始時間を設定する時間設定部と、設定された洗浄開始時間と洗浄時間を記憶する時間記憶部とを有してなることを特徴とする浴水循環装置における管路浄化装置。
【発明の詳細な説明】
【０００１】
【産業上の利用分野】
本発明は、熱水にて循環管路を熱水洗浄し、その浄化後の排出時には人体に火傷等させることなく熱水を低温化して安全にできる浴水循環装置における管路浄化装置に関する。この明細書では、熱水とは、摂氏７０度以上の湯温をいう。
【０００２】
【従来の技術】
従来の浴水循環装置は、長期間の使用により装置本体と配管に微生物膜が付着することがあるために安全衛生問題の外、ある一定期間毎に装置を殺菌、洗浄する必要があった。またその方法は浴槽内の湯に直接殺菌剤を投入し、装置を循環させるものであった。
【０００３】
そのため、▲１▼浴槽の湯に殺菌剤を投入するために、多量の洗剤を使わなければならず、不経済であった。▲２▼作業者が汚水に接触する可能性がある為に高濃度の殺菌剤が使用できず、洗浄効果に限界があった。▲３▼洗浄時、汚水が浴槽を循環するために、洗浄後のすすぎの手間がかかった。また衛生面での問題もあった。このため、これらを解決することが特に要望されている。この点を、当該出願人は、循環管路内のみを熱水にて熱水洗浄する装置を開発した。しかるに、その熱水を排出する場合に、そのままでは火傷等の危険が伴ないやすい問題点があった。
【０００４】
【課題を解決するための手段】
そこで発明者は、前記課題を解決することを目的とし、鋭意，研究を重ねた結果、その発明を、浴槽から吸い込んだ浴水を低温から高温に加熱可能としたヒータと、微細なごみ及び汚れなる不純物を浴水から濾過するフィルタと、浴水を循環させるための循環ポンプとを含み、該循環ポンプにて浴水が浴槽から浴槽に戻るように循環する循環管路と、該循環管路の吸込み側寄りの適宜な箇所と該循環管路の流出側寄りの適宜な箇所とを連結する連結管路と、前記循環管路に一端を連結した排水管とからなり、管路洗浄時には、循環管路内に設けた管路温度検知手段で検知して、浴水をヒータにて高温にしつつ連結管路を介して循環して、熱水にて循環管路を熱水洗浄した後、該熱水と浴水を前記循環管路内で混合して低温化して前記排水管を介して排水することを特徴とする浴水循環装置における管路浄化装置等としたことにより、熱水にて循環管路を熱水洗浄することができ、排出時には浴槽内の浴水との混合で火傷等しないように安全に排出させることができ、前記の課題を解決したものである。
【０００５】
【実施の形態】
以下、本発明の実施の形態について図面に基づいて説明すると、図１に示すように、浴水循環装置は、主に、浴水を低温から高温に加熱するシーズヒータ等のヒータ１と、微細なごみ及び汚れなる不純物を浴水から濾過するフィルタ２と、浴水を殺菌する殺菌装置３と、浴水を循環させるための循環ポンプＰと、該循環ポンプＰにて浴水が浴槽１０から浴槽１０に戻るように循環する循環管路５等とから構成されている。
【０００６】
そのフィルタ２は、種類としては、精密フィルタ又は普通フィルタであり、活性石，活性炭を充填したものとして吸着剤濾材フィルタ材として使用したり、或いは、織布又は不織布からなりフィルタ素材から構成するものもある。何れにしても、不純物で微細なるごみ及び汚れを除去するものである。
【０００７】
連結管路６は、前記循環管路５の吸込み側寄りの適宜な箇所と、前記循環管路５の流出側寄りの適宜な箇所とを連結すると前記循環管路５の流出側管路５ｂの適宜な箇所とを連結するように構成され、前記循環ポンプＰ，ヒータ１，フィルタ２，殺菌装置３を配置された循環管路５と連結管路６とで閉ループが構成される。前記循環管路５において、前記連結管路６の両端との結合箇所よりも、吸込み側を給水側管路５ａと、流出側を流出側管路５ｂとそれぞれ称する。前記給水側管路５ａ及び流出側管路５ｂ上には、前記循環ポンプＰ，ヒータ１，フィルタ２，殺菌装置３は設けられないように構成されている。また、循環ポンプＰとヒータ１との循環管路５の適宜の箇所と、前記殺菌装置３と前記連結管路６との循環管路５の適宜の箇所との間に副連結管路７が設けられている。前記給水側管路５ａの吸込み口には、プレフィルタ１１が、前記流出側管路５ｂの流出口には、ジェット噴流が出るように噴出部１２が設けられている。また、前記連結管路６は、なるべくプレフィルタ１１，噴出部１２寄りに設けられることが好ましい。
【０００８】
適宜な弁が設けられている実施の形態が存在する。第１の実施の形態では、第１開閉弁Ｖ１、第２三方弁Ｖ２、排水用三方弁Ｖ３，混合用三方弁Ｖ４がそれぞれ使用される。具体的には、第１開閉弁Ｖ１は、給水側管路５ａの途中に、第２三方弁Ｖ２が、前記連結管路６と循環管路５の流出側寄りとの結合箇所に、排水用三方弁Ｖ３は、循環管路５の流出側管路５ｂの途中にそれぞれ設けられている。前記排水用三方弁Ｖ３の排水側には、排水管８の一端が連結され、該排水管８の他端は、浴槽１０外に流出するように構成されている。また、混合用三方弁Ｖ４は、前記副連結管路７と，前記循環ポンプＰとヒータ１との間の循環管路５との結合箇所に設けられている。
【０００９】
管路浄化するときには、第１開閉弁Ｖ１が閉鎖されて給水側管路５ａは遮断され、第２三方弁Ｖ２は、流出側管路５ｂが閉鎖され、連結管路６と循環管路５とが連通状態となり、且つ混合用三方弁Ｖ４の流水方向は、管路循環側のみに切替えられる。このとき、排水用三方弁Ｖ３箇所には浴水は流通しないため、どの方向に切替えてもかまわない。これによって、循環管路５において、給水側管路５ａと流出側管路５ｂとが閉鎖された状態で、前記循環ポンプＰ，ヒータ１，フィルタ２，殺菌装置３を配置された循環管路５と連結管路６とで閉ループを構成して、この内部の浴水が循環ポンプＰの動作にて循環する。
【００１０】
前記構成において、熱水管路洗浄を手動操作にて行なう場合には、図１に示すように、熱水管路洗浄をするために洗浄開始を命令する洗浄スイッチ１５と、該洗浄スイッチ１５に応答して洗浄時間を計測する洗浄計測手段１６（簡易タイマー等）と、循環管路５内の温度が摂氏７０度以下か否かを検知する管路温度検知手段１７とが備えられている。
【００１１】
図３は、本発明の手動操作による熱水管路洗浄フローチャートであり、入浴者が、定期的に熱水管路洗浄を行うタイプのものである。まず、熱水による管路洗浄を開始するか否かの判断をなし（Ｓ１１参照）、開始する場合には、本体に設けられた洗浄スイッチ１５を入力する。すると、洗浄モードとなり（Ｓ１２参照）、殺菌装置の殺菌ランプが消灯し（Ｓ１３参照）、第１開閉弁Ｖ１を閉鎖し、第２三方弁Ｖ２及び混合用三方弁Ｖ４のそれぞれの流水方向を管路内循環側のみに切替える（Ｓ１４〜Ｓ１６参照）。このときには、ヒータ１はＯＮ状態を保持している（Ｓ１７参照）。そして、循環管路５内の温度を管路温度検知手段１７を介して摂氏７０度以下か否かを検知し（Ｓ１８参照）、摂氏７０度以下の場合には、ヒータ１はＯＮ状態に戻る。また、摂氏７０度以上の場合には、ヒータ１がＯＦＦとなる（Ｓ１９参照）。この状態において、循環ポンプＰのポンプ圧にて閉ループ管内の浴水が循環して管路洗浄作業が開始となる（Ｓ２０参照）。この状態は図１に示す通りである。Ｓ２１，２２では、管路洗浄の時間を予め設定し、その時間を簡易なタイマー等の洗浄計測手段１６にて計測する。管路洗浄する所定の時間が経過したか否かを判断し（Ｓ２３参照）、経過した場合には、管路洗浄作業が終了したか否かを判断する（Ｓ２４参照）。
【００１２】
その洗浄が終了したと判断すると、第１開閉弁Ｖ１を開放して浴槽１０内の浴水を循環管路５内に入れ（Ｓ２５参照）、且つ第２三方弁Ｖ２は、循環管路５方向と連結管路６方向とが連通状態となるように切替え、即ち、管路内循環で且つ通常循環側に切替える（Ｓ２６参照）。さらに、混合用三方弁Ｖ４は管路内循環で且つ循環ポンプＰからの熱水及び浴水が副連結管路７に流入するように切替え、即ち、浴槽１０内の浴水と熱水とが，より混合するような混合側に切替える（Ｓ２７参照）。そして、排水用三方弁Ｖ３の流水方向が排水側に切替られる（Ｓ２８参照）。このようにして、熱水と浴水とが混合されて、且つ第２三方弁Ｖ２からは、ある程度の量の熱水と浴水との高い温度水がフィードバックされて再び循環ポンプＰ側に流れることもあり、摂氏５０度内外で管路洗浄した汚れた熱水と浴水との混合水が排水管８より流出する。この状態は図２（Ａ）に示す通りである。そして排水が完了したか否かを判断し（Ｓ２９）、排水したことを確認すると、排水用三方弁Ｖ３の流水方向を通常循環側のみに切替える（Ｓ３０参照）。そして、第２三方弁Ｖ２と混合用三方弁Ｖ４のそれぞれの流水方向を通常循環側に切替え（Ｓ３１及びＳ３２参照）、ヒータ１をＯＮにし（Ｓ３３参照）、殺菌装置の殺菌ランプを点灯させる（Ｓ３４参照）。すると、通常の浴水循環装置の運転のフローチャート（図６参照）の▲２▼に戻る。この状態は図２（Ｂ）に示す通りである。
【００１３】
また、循環管路内の洗浄を自動操作にて行なう場合には、図７に示すように、ブロック図にて制御される。即ち、中央演算処理装置２０（ＣＰＵ）が設けられ、管路洗浄の開始及び時間等を制御する洗浄指令手段２１と、各種弁を制御する弁制御手段２２と、ヒータ制御手段２３とが設けられている。前記洗浄指令手段２１には、循環管路内を洗浄するために洗浄開始時間を設定する時間設定部２１ａと、設定された洗浄開始時間と洗浄時間を記憶する時間記憶部２１ｂと、洗浄開始時間と洗浄時間を適宜変更する時間変更部２１ｃとを有している。
【００１４】
弁制御手段２２では、管路洗浄をするときには、第１開閉弁Ｖ１は遮断され、第２三方弁Ｖ２及び混合用三方弁Ｖ４のそれぞれの流水方向が管路内循環側に切替える。また、管路洗浄が完了したときに、排水制御として、第１開閉弁Ｖ１は開放し、第２三方弁Ｖ２は、管路内循環で且つ通常循環側に切替え、混合用三方弁Ｖ４は混合側に切替え、排水用三方弁Ｖ３の流水方向が排水側に切替えるように制御されている。また、排水が完了したときに、第１開閉弁Ｖ１はそのままで、第２三方弁Ｖ２，混合用三方弁Ｖ４，排水用三方弁Ｖ３の流水方向がそれぞれ通常循環するように切替えるように制御されている。
【００１５】
図８は、本発明の自動操作による管路洗浄フローチャートであり、Ｓ４１では、管路内の洗浄時間を設定するか否かの判断をなし、時間を設定するときには、その洗浄時間（時，分等）を設定する（Ｓ４２参照）。そして、洗浄時間を変更するか否かの判断をなし（Ｓ４３参照）、変更しないときには、そのままの設定時間等を時間記憶部２１ｂにて記憶する（Ｓ４４参照）。そして、洗浄指令手段２１にて洗浄時間を計測する（Ｓ４５参照）。その洗浄開始の設定時間になったか否かを判断し（Ｓ４６参照）、その開始の設定時間となったときには、管路洗浄モードとなる（Ｓ４７参照）。殺菌装置の殺菌ランプが消灯し（Ｓ４８参照）、第１開閉弁Ｖ１が閉鎖し、第２三方弁Ｖ２及び混合用三方弁Ｖ４のそれぞれの流水方向が管路内循環側のみに切替えられる（Ｓ４９〜Ｓ５１参照）。このときには、ヒータ１はＯＮ状態を保持している（Ｓ５２参照）。そして、循環管路５内の温度を管路温度検知手段１７を介して摂氏７０度以下か否かを自動的に検知し（Ｓ５３参照）、摂氏７０度以下の場合には、ヒータ１のＯＮ状態を保持する。また、管路内の浴水が摂氏７０度を超える場合には、ヒータ１がＯＦＦとなる（Ｓ５４参照）。この状態において、循環ポンプＰのポンプ圧にて閉ループ管内の浴水が循環して管路洗浄作業が開始となる（Ｓ５５参照）。この状態は図１に示す通りである。その管路洗浄の時間等は、洗浄指令手段２１にて制御され洗浄の時間を予め設定されており、管路洗浄する所定の時間が経過して管路洗浄が終了したか否かを判断する（Ｓ５６参照）。
【００１６】
洗浄が終了したと判断すると、第１開閉弁Ｖ１を開放して浴槽１０内の浴水を循環管路５内に入れ（Ｓ５７参照）、且つ第２三方弁Ｖ２は、循環管路５方向と連結管路６方向とが連通状態となるように切替え、即ち、管路内循環で且つ通常循環側に切替える（Ｓ５８参照）。さらに、混合用三方弁Ｖ４は管路内循環で且つ循環ポンプＰからの熱水及び浴水が副連結管路７に流入するように切替え、即ち、浴槽１０内の浴水と熱水とが，より混合するような混合側に切替える（Ｓ５９参照）。そして、排水用三方弁Ｖ３の流水方向が排水側に切替られる（Ｓ６０参照）。このようにして、熱水と浴水とが混合されて、且つ第２三方弁Ｖ２からは、ある程度の量の熱水と浴水との高い温度水がフィードバックされて再び循環ポンプＰ側に流れることもあり、管路洗浄した汚れた熱水と浴水との低温化した混合水が排水管８より自動的に流出する。この状態は図２（Ａ）に示す通りである。そして排水が完了したか否かを判断し（Ｓ６１参照）、排水が流量計測手段にて確認されると、今度は、排水用三方弁Ｖ３の流水方向を通常内循環側に切替える（Ｓ６２参照）。そして、第１開閉弁Ｖ１はそのままで，第２三方弁Ｖ２及び混合用三方弁Ｖ４の流水方向をそれぞれ通常循環側に切替え（Ｓ６３及びＳ６４参照）、そしてヒータ１がＯＮとなり（Ｓ６５参照）、殺菌装置の殺菌ランプが点灯する（Ｓ６６参照）。すると、浴水循環装置の通常運転のフローチャート（図６参照）の▲２▼に戻る。この状態は図２（Ｂ）に示す通りである。
【００１７】
なお、浴水循環装置を通常運転状態のフローチャートは、図６に示すように、浴水循環装置を駆動するか否かを判断し（Ｓ１参照）、浴水循環装置を駆動する場合には、浴水循環装置の電源をＯＮとし（Ｓ２参照）、循環ポンプＰを駆動させ（Ｓ３参照）、ヒータ１をＯＮとし（Ｓ４参照）、さらに殺菌装置の殺菌ランプを点灯させて（Ｓ５参照）、浴水循環装置を駆動させる。そのとき、管路洗浄をするか否かを判断し（Ｓ６参照）、洗浄させるとすると、▲１▼なる手動又は自動のサブルーチンのフローチャートとなる。洗浄しないと判断すると、そのまま駆動させ、浴水循環装置を停止させるか否かを判断し（Ｓ７参照）、停止する場合には終了し、停止しない場合には、浴水循環装置の電源をＯＮするＳ２の手前に戻る。
【００１８】
図４及び図５（Ａ），（Ｂ）に示した第２実施の形態では、第１実施の形態において、前記副連結管路７及び混合用三方弁Ｖ４に削除したタイプであり、他の構成は、図１の第１実施の形態構成と同様である。この第２実施の形態タイプでは、手動のフローチャート（図３参照）において、Ｓ１５，Ｓ２６，Ｓ３１を、自動のフローチャート（図８参照）において、Ｓ５１，Ｓ５９，Ｓ６４をそれぞれ削除したものであり、他のフローチャートは同一である。
【００１９】
図９乃至図１３に示した実施の形態は、浴槽１０の浴水以外の水を熱水に混合して排出するものである。その図９は、前記第２三方弁Ｖ２と排水用三方弁Ｖ３との間の流出側管路５ｂの途中に、低温水を溜めた低温水タンク２５を設けたものであり、他の構成は図４と同一である。排水時に、熱水が前記低温水タンク２５内で混合されて低温化して排水でき、人体に火傷等の危険性を回避できる。このフローチャートは、図４の実施の形態と同一である。また、図１０は、排水管８の途中に、低温水を溜めた低温水タンク２５を設けたものであり、他の構成は図４と同一である。排水時に、熱水が前記低温水タンク２５内で混合されて低温化して排水でき、人体に火傷等の危険性を回避できる。このフローチャートは、図４の実施の形態と同一である。
【００２０】
図１１は、前記第２三方弁Ｖ２と排水用三方弁Ｖ３との間の流出側管路５ｂの途中に第５三方弁Ｖ５を設け、該第５三方弁Ｖ５に対して配管２６を介して給湯器２７より水を流入可能としたものであり、他の構成は図４と同一である。排水時に給湯器２７からの水を流入する構成となる。これで排水時に、熱水が前記第５三方弁Ｖ５箇所で混合されて低温化して排水できる。また、図１２は、図１１の実施の形態において、給湯器２７に替えて水道設備２８とし、該水道設備２８から水道水が配管２６を介して第５三方弁Ｖ５に流入可能としたものであり、他の構成は図４と同一である。排水時に給湯器２７からの水が流入される構成となる。
【００２１】
図１３は、前記第２三方弁Ｖ２と殺菌装置３との間の循環管路５に第６三方弁Ｖ６を設け、該第６三方弁Ｖ６からの配管２９の端に低温水タンク２５を設け、該低温水タンク２５から再び循環管路５との間に配管３０を設け、該配管３０の途中に第７開閉弁Ｖ７を設けたものであり、前記低温水タンク２５内には水等の低温水がある程度入れられている。他の構成は図４と同一である。排水時に、熱水が前記低温水タンク２５内で混合され、低温化した時点で排水でき、人体に火傷等の危険性を回避できる。このフローチャートは、図４の実施の形態と同一である。
【００２２】
また、図４の構成において、前記第２三方弁Ｖ２及び連結管路６を外し、その替わりに、浴槽内連結管１３（図４鎖線参照）に設け、該浴槽内連結管１３の両端を、前記プレフィルタ１１と噴出部１２とに連結するように構成することもある。これは、管路洗浄時における構成である。そして、排水時には、排水用三方弁Ｖ３の弁の方向が図４において１８０度回転した方向にし、他のフローチャートは図３において、Ｓ１５，Ｓ２６，Ｓ３１を除いたものと同一である。
【００２３】
【発明の効果】
まず、請求項１の発明では、特に、熱水にて循環管路を熱水洗浄した後、該熱水と浴水を前記循環管路内で混合して低温化して前記排水管を介して排水することにより、熱水洗浄した後の排水時には低温化させることで、入浴者にとって安全性を確保できる。また、請求項２の発明では、浴水を低温から高温に加熱可能としたヒータ１と、微細なごみ及び汚れなる不純物を浴水から濾過するフィルタ２と、浴水を循環させるための循環ポンプＰと、該循環ポンプＰにて浴水が浴槽１０から浴槽１０に戻るように循環する循環管路５と、該循環管路５の吸込み側寄りの適宜な箇所と該循環管路５の流出側寄りの適宜な箇所とを連結する連結管路６と、前記循環管路５に一端を連結した排水管８とからなり、管路洗浄時には、循環管路５内の浴水をヒータ１にて高温にしつつ連結管路６を介して循環可能とし、排水時には、浴槽１０内の浴水と前記循環管路５内の高温の浴水とを該循環管路５内で混合させて浴槽１０の外側に前記排水管８を介して排出可能としてなることを特徴とする浴水循環装置における管路浄化装置としたことにより、第１に排水は、浴槽１０内の浴水と前記循環管路内で浄化した浴水とを混合させてなり、かなり低温化しており、入浴者等にとっても火傷等の危険性を回避できる。特に、熱水殺菌で行なうために、レジオネラ菌のみならず、クリプトスポリジウム菌等に対しても死滅させることができ、極めて安全且つ衛生的であるし、第２に別途殺菌剤を投入する手間が省け、管路洗浄がいつでも簡単にできるし、第３に作業者が殺菌剤及びその排水に接触する可能性がないために安全に洗浄作業を行うことができ、第４に管路洗浄終了後、循環路を切替えることで洗浄後の熱水化した汚水は直接浴槽に排水されず排水管８を介して排水口に排出されるため浴槽１０のすすぎの手間もない等の利点がある。
【００２４】
請求項３の発明では、浴水を低温から高温に加熱可能としたヒータ１と、微細なごみ及び汚れなる不純物を浴水から濾過するフィルタ２と、浴水を循環させるための循環ポンプＰと、該循環ポンプＰにて浴水が浴槽１０から浴槽１０に戻るように循環する循環管路５と、該循環管路５の吸込み側寄りの適宜な箇所と前記循環管路５の流出側寄りの適宜な箇所とを連結する連結管路６と、前記循環管路５で連結管路６接続箇所よりも吸込み側寄りに設けた第１開閉弁Ｖ１と、前記連結管路６と循環管路５の流出側寄りとの連結箇所に設けた第２三方弁Ｖ２と、前記循環管路５で連結管路６接続箇所よりも排出側寄りに設けた排水用三方弁Ｖ３とからなり、管路洗浄時には、前記各弁の切替えにより循環管路５内の浴水をヒータ１にて高温にしつつ連結管路６を介して循環可能とし、排水時にも、前記各弁の切替えにより浴槽１０内の浴水と前記循環管路５内の高温の浴水とを該循環管路５内で混合させて浴槽１０の外側に排出可能としてなる浴水循環装置における管路浄化装置としたことにより、各弁を操作することで比較的簡単に熱水による管路洗浄ができ、さらに、排水時には低温化でき、入浴者にとって安全性を確保でき、請求項２の発明と同様の効果を奏する。
【００２５】
請求項４の発明では、請求項１，２又は３において、更に管路洗浄するために洗浄開始を命令する洗浄スイッチ１５と、該洗浄スイッチ１５に応答して洗浄時間を計測する洗浄計測手段１６とを備えてなる浴水循環装置における管路浄化装置としたことにより、各弁や機器の操作は手動ながらも、洗浄開始させると、所望の時間（洗浄できる時間）を洗浄時間として、良好なる管路洗浄ができる。
【００２６】
請求項５の発明では、請求項２又は３において、更に管路洗浄時の洗浄時間を開始・制御する洗浄指令手段２１と、前記管路洗浄，排水等のために制御する弁制御手段２２とを備え、前記洗浄指令手段２１は、洗浄開始時間を設定する時間設定部と、設定された洗浄開始時間と洗浄時間を記憶する時間記憶部とを有してなる浴水循環装置における管路浄化装置としたことにより、洗浄しようとする開始時間，洗浄時間等をセットしておくことで、特に、自動的に管路洗浄を行うことができ、且つこのときの弁制御にて、循環管路内の排水等も好適にできる。さらに、その他は請求項２の発明と同等な効果を発揮しうる。
【図面の簡単な説明】
【図１】本発明の第１の実施の形態の略示図
【図２】（Ａ）は第１の実施の形態の排水時の略示図
（Ｂ）は第１の実施の形態の通常運転時の略示図
【図３】手動操作による管路洗浄のフローチャート
【図４】本発明の第２の実施の形態の略示図
【図５】（Ａ）は第２の実施の形態の排水時の略示図
（Ｂ）は第２の実施の形態の通常運転時の略示図
【図６】浴水循環装置の通常運転状態のフローチャート
【図７】自動操作による管路洗浄のブロック図
【図８】自動操作による保護管洗浄のフローチャート
【図９】本発明の別の実施の形態の略示図
【図１０】本発明の別の実施の形態の略示図
【図１１】本発明の別の実施の形態の略示図
【図１２】本発明の別の実施の形態の略示図
【図１３】本発明のさらに別の実施の形態の略示図
【符号の説明】
１…ヒータ
２…フィルタ
５…循環管路
５ａ…給水側管路
５ｂ…流出側管路
６…連結管路
１０…浴槽
１５…洗浄スイッチ
１６…洗浄計測手段
２１…洗浄指令手段
２２…弁制御手段
Ｐ…循環ポンプ
Ｖ１…第１開閉弁
Ｖ２…第２三方弁
Ｖ３…排水用三方弁
【図１】
0003897259.tif 000002
【図２】
0003897259.tif 000003
【図３】
0003897259.tif 000004
【図４】
0003897259.tif 000005
【図５】
0003897259.tif 000006
【図６】
0003897259.tif 000007
【図７】
0003897259.tif 000008
【図８】
0003897259.tif 000009
【図９】
0003897259.tif 000010
【図１０】
0003897259.tif 000011
【図１１】
0003897259.tif 000012
【図１２】
0003897259.tif 000013
【図１３】
0003897259.tif 000014